(57)【要約】      （修正有）【課題】墓の室部へ取り付けられる扉が経時的あるいは経年的変化で傾斜しても、容易に元位置に戻すことができ、さらに、扉の開閉装置の取付加工時に扉が割れてしまうのを可及的に防止した前記扉の開閉装置の取付構造を提供する。【解決手段】室部の入口裏側へ取り付けられる第１蝶番片７と、前記扉の側部に取り付けられる第２蝶番片８と、前記各第１蝶番片と各第２蝶番片を互いに回転可能に連結するヒンジピンとで構成し、前記各第１蝶番片と各第２蝶番片を前記納骨室部の入口の裏側と前記扉の側部へ取り付けるに当り、当該入口の裏側と扉の側部に前記各第１蝶番片と各第２蝶番片に対応させて少なくとも一つの装着穴を穿ち、この各装着穴に各々固定部材を挿入固着させると共に、この各固定部材を前記各第１蝶番片と各第２蝶番片に設けた取付孔に挿通させてナット１６，１７で固定させると共に、少なくとも前記第１蝶番片の取付孔を取付ガイド長孔或は取付ガイド長溝７ｂとした。【選択図】図３
0003159648.tif 000002
【実用新案登録請求の範囲】
【請求項１】
石製の墓などの墓石構造物の納骨室や香炉室などの室部の入口に観音開きに取り付けられる扉の開閉装置の取付構造であって、
前記開閉装置を、前記室部の入口裏側へ取り付けられる上下一対の第１蝶番片と、前記扉の側部に取り付けられる同じく上下一対の第２蝶番片と、前記各第１蝶番片と各第２蝶番片を互いに回転可能に連結するヒンジピンとで構成し、前記各第１蝶番片と各第２蝶番片を前記室部の入口の裏側と前記扉の側部へ取り付けるに当り、当該入口の裏側と扉の側部に前記各第１蝶番片と各第２蝶番片に対応させて少なくとも一つの装着穴を穿ち、この各装着穴に各々固定部材を挿入固着させると共に、この各固定部材を前記各第１蝶番片と各第２蝶番片に設けた取付孔に挿通させてナットで固定させると共に、少なくとも前記第１蝶番片の取付孔を取付ガイド長孔或は取付ガイド長溝としたことを特徴とする、前記墓の扉の開閉装置の取付構造。
【請求項２】
前記各装着穴の全部或は一部の内側及び又は前記固定部材の外周には、凸部或は凹部から成る抜け防止手段を設けたことを特徴とする、請求項１に記載の前記墓の扉の開閉装置の取付構造。
【請求項３】
前記固定部材を、雌ネジ部を設けた取付筒体とし、前記第１蝶番片と第２蝶番片の全部或は一部はその取付孔を通したボルトによって前記取付筒体へ取り付けると共に、前記少なくとも第１蝶番片の取付孔を取付ガイド長孔或は取付ガイド長溝としたことを特徴とする、請求項１に記載の前記墓の扉の開閉装置の取付構造。
【請求項４】
前記固定部材を取り付ける前記室部の入口の部分及び又は扉の側部の肉厚を厚くしたことを特徴とする、請求項１乃至３のいずれか１項に記載の前記墓の扉の開閉装置の取付構造。
【考案の詳細な説明】
【技術分野】
【０００１】
本考案は、墓などの墓石構造物に設けた納骨室や香炉室などの室部の入口へ、同じく石製の扉を開閉可能に取り付ける際に用いて好適な墓の扉の開閉装置の取付構造に関する。
【背景技術】
【０００２】
墓などの墓石構造物の納骨室や香炉室等の室部入口には、石製の扉が観音開きで開閉できるように開閉装置を介して取り付けられている。
【０００３】
この扉の開閉装置としては、従来より下記特許文献１に記載されたように、ピボットヒンジが用いられている。
【先行技術文献】
【特許文献】
【０００４】
【特許文献１】登録第３１１６６３４号実用新案公報
【考案の概要】
【考案が解決しようとする課題】
【０００５】
上記した特許文献１に記載された墓の扉のピボットヒンジは、扉が石製で重量があることと、とくに夏場の太陽熱による温度の上昇及びとく冬場の温度の下降による膨張と収縮の繰り返しによる石材やピボットヒンジの変形などにより、経時的或は経年的変化が生じて、扉がどうしても傾いてしまい、きちんと閉まらなくなってしまったり、入口の部分が傾斜した扉と擦り合って傷ついてしまったりするという問題点があった。
【０００６】
本考案は以上の問題点に鑑み工夫されたもので、その目的は扉が経時的あるいは経年的変化で傾斜しても、容易に元位置に戻すことができ、さらに、扉の開閉装置の取付加工時に扉が割れてしまうのを可及的に防止した墓石構造物としての墓の扉の開閉装置の取付構造を提供せんとするにある。
【課題を解決するための手段】
【０００７】
上記した目的を達成するために本考案は、石製の墓などの墓石構造物の納骨室や香炉室などの室部の入口に観音開きに取り付けられる扉の開閉装置の取付構造であって、前記開閉装置を、前記室部の入口裏側へ取り付けられる上下一対の第１蝶番片と、前記扉の側部に取り付けられる同じく上下一対の第２蝶番片と、前記各第１蝶番片と各第２蝶番片を互いに回転可能に連結するヒンジピンとで構成し、前記各第１蝶番片と各第２蝶番片を前記納骨室部の入口の裏側と前記扉の側部へ取り付けるに当り、当該入口の裏側と扉の側部に前記各第１蝶番片と各第２蝶番片に対応させて少なくとも一つの装着穴を穿ち、この各装着穴に各々固定部材を挿入固着させると共に、この各固定部材を前記各第１蝶番片と各第２蝶番片に設けた取付孔に挿通させてナットで固定させると共に、少なくとも前記第１蝶番片の取付孔を取付ガイド長孔或は取付ガイド長溝としたことを特徴とする。
【０００８】
その際に本考案は、記各装着穴の全部或は一部の内側及び又は前記固定部材の外周に、凸部或は凹部から成る抜け防止手段を設けることができる。
【０００９】
本考案はまた、前記固定部材を、雌ネジ部を設けた取付筒体とし、前記第１蝶番片と第２蝶番片の全部或は一部はその取付孔を通したボルトによって前記取付筒体へ取り付けると共に、前記少なくとも第１蝶番片の取付孔を取付ガイド長孔或は取付ガイド長溝としたことを特徴とする。
【００１０】
そして、本考案は、前記固定部材を取り付ける前記室部の入口の部分及び又は扉の側部の肉厚を厚くしたことを特徴とする。
【考案の効果】
【００１１】
納骨室や香炉室などの室部の入口と扉の両方に取付孔を設け、固定部材を挿入して打ち込み部材を打ち込むことにより開脚させて取付孔に固定させ、必要に応じて、取付孔へ接着剤を充填して固定部材を固定接着させるので、石製のとくに扉が割れてしまう心配がない上に、第１蝶番片と第２蝶番片の一方或は双方にガイド溝或はガイド長孔を設けてこれらガイド溝やガイド長孔に固定部材を通した上でナットで固定することから、扉の取り付け後の経時的、或は経年的変化により扉が傾いてしまってもナットを弛めて傾きを直した上で、再度ナットで締め付けて第１蝶番片と第２蝶番片を固定することができるので、扉が傾斜して建てつけが悪くなってしまっても、扉を常に正しい取付位置に戻すことができるものである。
【００１２】
その際、固定部材に雌ネジ部を設けた取付筒体を用い、この取付筒体へボルトを介して第１蝶番片と第２蝶番片を取り付けるようにしても本考案の目的を達成できる。
【図面の簡単な説明】
【００１３】
【図１】本考案を実施したお墓の斜視図である。
【図２】図１に示したお墓の納骨室の平面断面図である。
【図３】図１に示したお墓の納骨室の入口部分を裏側から見た開閉装置の取付構造の説明図である。
【図４】図３に示した扉の開閉装置の一部拡大平面断面図である。
【図５】本考案の他の実施例を示す平面断面図である。
【図６】図５に示した開閉装置の拡大平面断面図である。
【考案を実施するための形態】
【００１４】
以下に本考案の実施例を墓石構造物としての墓の納骨室や香炉室などの室部の入口の扉の開閉装置に実施した場合について図面に基いて説明するが、本考案は納骨室や香炉室に限らず、その他の石製の墓へ取り付ける石製の扉の開閉装置に広く適用することができるものである。
【実施例１】
【００１５】
図１乃至図４において、指示記号１で示したものが御影石などで作った石製の墓であり、本考案を実施する墓１は、中台１ｂを据え付けた芝台１ａの下に骨壷や遺品を納める同じく石製の納骨室から成る室部２が設けられている。竿石３は中台１ｂの上に据え付けた上台１ｃの上にスリン１ｄを介して据え付けられている。その他、指示記号１ｅのものは敷石であり、指示記号１ｆのものは石碑、支持記号１ｇ、１ｇのものは門石である。室部２の入口２ａの両側には柱石２ｃ、２ｃが設けられ、入口２ａの左右には、一対の扉４、５が４個の同じ構造の開閉装置６、６・・・を介して両観音開き可能に取り付けられている。４個とも同じ構成なのでその１つについて以下に説明する。
【００１６】
開閉装置６は、一種の蝶番であり、室部２の入口２ａの裏側両側端部に取り付けられたステンレス製の４枚の第１蝶番片７と、扉４、５の側部に取り付けられた同じくステンレス製の４枚の第２蝶番片８と、各第１蝶番片７と各第２蝶番片８の各端部を互いに回転可能に連結する同じくステンレス製のヒンジピン９とで構成されている。尚、実施例では第１及び第２蝶番片７と８の各端部にヒンジピン９を挿通させる巻込部７ａと８ａが設けられた構成であるが、この巻込部７ａと８ａをそれぞれ独立した筒部に形成して、この筒部に第１蝶番片７と第２蝶番片８の各端部を溶着しても良い。
【００１７】
この開閉装置６の取付構造Ａの構成は次のとおりである。第１蝶番片７の方には、その上下方向の略中央部より一側端部に向けて開口している取付孔の１例である取付ガイド長溝７ｂが設けられると共に、第２蝶番片８の方には、その中央部に取付孔８ｂが設けられている。室部２の入口２ａの両端部の肉厚に構成された部分２ｂ、２ｂには、上下方向に所定間隔を空けて肓状の第１装着穴１０が２個ずつ穿設されており、この各第１装着穴１０に好ましくはステンレス製の固定部材の１例としての第１アンカーボルト１１が挿入され、打ち込み部材１１ａを打ち込むことによって脚部の先端側を開脚させることにより、第１装着穴１０へ圧接固定されている。尚、必要に応じて第１装着穴１０と第１アンカーボルト１１の間に生じた間隙１０ａには、樹脂、鉄セメントなどの接着剤１２を充填すれば、第１アンカーボルト１１が第１装着穴１０から抜け出ないようにさらに強固に固着することができよう。
【００１８】
各扉４と５の端部にも肉厚に形成された肉厚部４ａ、５ａの幅方向に設けられた第２蝶番片８用の固定部材の１例としての第２アンカーボルト１４用の第２装着穴１３が穿設されており、この第２装着穴１３に好ましくはステンレス製の第２アンカーボルト１４が挿入固定されている。この固定方法は上記した第１アンカーボルト１１で説明したのと同じであり、必要に応じて第２装着穴１３と第２アンカーボルト１４との間に生じた間隙１３ａに樹脂や鉄セメントなどの接着剤１５を充填することにより、第２アンカーボルト１４が抜け出ないように強固に固着することができる。
【００１９】
上述した第１及び第２アンカーボルト１１と１４は、図示したように市販されているアンカーボルトであり、打ち込み部材１１ａ、１４ａを打ち込むことによって、先端側を開脚させるタイプのものであっても良いが、単なるボルトであって良い。好ましくは第１及び第２アンカーボルト１１と１４の第１及び第２装着穴１０と１３へ挿入固定される部分、及び第１及び第２装着穴１０と１３の内壁には、凸部或は凹部からなる抜け防止手段を設けて第１及び第２アンカーボルト１１と１４が容易に抜け出ないように構成することが望ましい。
【００２０】
第１及び第２アンカーボルト１１と１４の各打ち込み部材１１ａと１４ａは、余り強く打ち込むと石製である室部２の入口２ａと扉４と５が割れてしまう恐れがあるので注意を要する。したがって、第１及び第２アンカーボルト１１と１４による第１及び第２装着穴１０と１３に対する圧接固定と樹脂或は鉄セメントなどの接着剤１２や接着剤１５による接着の両手段を併用することが望ましい。
【００２１】
そして、第１及び第２アンカーボルト１１と１４の第１及び第２装着穴１０と１３より外部へ突出した部分には、各々第１及び第２雄ネジ部１１ｂ、１４ｂが設けられている。
【００２２】
したがって、開閉装置６は、第１蝶番片７を室部２の入口２ａの裏側に当てがい、第２蝶番片８を扉４と５の側端部に当てがって第１蝶番片７に設けた取付ガイド長溝７ｂと第２蝶番片８に設けた取付孔８ｂ及びワッシャー１９、２０に、それぞれ第１及び第２アンカーボルト１１と１４の第１及び第２雄ネジ部１１ｂと１４ｂを通した後、ナット１６と１７を第１及び第２雄ネジ部１１ｂと１４ｂにネジ着させて締付けることにより、扉４と５の室部２の入口２ａへの取り付けが完了する。
【００２３】
取付状態は、とくに図２や図４に示したように、第１蝶番片７と第２蝶番片８が室部２の入口２ａ側と扉４と５側で直角状態となる。尚、扉４の側の自由端部には、覆部４ｂが設けられている。
【実施例２】
【００２４】
図５と図６は他の実施例を示す。図面によればこの実施例２に係る開閉装置６の取付構造Ｂは、室部２１の入口２１ａ部分の石材２１ｂ側と扉２８側に設けた第１及び第２装着穴２２、２３へ挿入固定させるものが雌ネジ部２４ａと２５ａを有する好ましくはステンレス製の固定部材の他の１例としての取付筒体２４、２５であり、この取付筒体２４、２５へ同じく好ましくはステンレス製のボルト２６、２７を用いて第１蝶番片７と第２蝶番片８を取り付ける構成である。その他の第１及び第２装着穴２２と２３と取付筒体２４、２５との間に樹脂や鉄セメントなどの接着剤２９ａ、２９ｂを充填して取付筒体２４、２５を第１及び第２装着穴２２、２３へ固定させるものである。尚、指示記号３０、３１で示したものは、ワッシャーである。
【００２５】
したがって、本考案を実施した実施例２の扉２８は図５に想像線で示したように、外方向へ観音開きに開くことができ、開いた状態で室部２１の中へ骨壷や遺品を収納して、扉２８を閉じるものである。尚、もう一方の扉は図示を省略してある。
【００２６】
以上のように構成すると、開閉装置６の部分は室部２１の内側に位置することになるので、開閉装置６が劣化したり、錆びたりしてしまうのを可及的に防止することができるものである。
【００２７】
また、時間の経過により開閉装置６が変形して扉２８がその重量で傾斜しても、ボルト２６を弛めて第１蝶番片７の取付位置を左右方向へずらせて再びボルト２６を締め付けることにより、扉２８の傾斜を何度でも容易に調節することが可能となったものである。
【００２８】
尚、以上の実施例では、扉は両開きの観音開きのものを示したが、片開きの観音開きのものであっても良いし、扉を取り付けるものは納骨室以外に香炉室や、線香入れなどの室部、その他の墓に設けられる各種室部であっても良い。さらに、開閉装置６の数は、実施例では左右合わせて４個であるがその数に限定はない。２個の場合や４個以上の場合もある。また、取付ガイド長溝や取付孔の数についても限定はない。さらに、取付ガイド長溝は、これを取付ガイド長孔としても良い。
【００２９】
また、固定部材としてのアンカーボルトやナットは市販されているもので足り、アンカーボルトは、装着穴へ接着剤のみで固定させるケミカルアンカーボルトによっても良い。
【産業上の利用可能性】
【００３０】
本考案は以上のように構成したので、墓石構造物のとくに墓の石製の納骨室や香炉室その他の室部へ取り付けられる観音開きの扉の開閉装置の取付構造として、好適に用いられるものである。
【符号の説明】
【００３１】
Ａ、Ｂ  取付構造
１  墓
２、２１  室部
２ａ、２１ａ  入口
２ｂ  肉厚に構成された部分
３  竿石
４、５、２８  扉
４ａ、５ａ  肉厚部
６  開閉装置
７  第１蝶番片
７ｂ  取付ガイド溝
８  第２蝶番片
８ｂ  取付孔
９  ヒンジピン
１０、２２  第１装着穴
１１  第１アンカーボルト（固定部材）
１３、２３  第２装着穴
１４  第２アンカーボルト（固定部材
１６、１７  ナット
１９、２０  ワッシャー
２４、２５  取付筒体
２４ａ、２５ａ  雌ネジ部
２６、２７  ボルト
【図１】
0003159648.tif 000003
【図２】
0003159648.tif 000004
【図３】
0003159648.tif 000005
【図４】
0003159648.tif 000006
【図５】
0003159648.tif 000007
【図６】
0003159648.tif 000008